(57)【要約】【課題】  図面等の縮尺倍率が不明な場合であっても、図面から実寸法を容易に算出（計る）ことが可能な実寸法算出機能付きメジャーを提供する。【解決手段】  実寸法算出機能付きメジャー１は、目盛り部５にて実測された寸法及び入力された実際の寸法に基づいて縮尺倍率を自動的に算出するとともに、その自動的に算出された縮尺倍率に基づいて実寸法を算出して表示パネル１１に表示する機能を有する。これにより、図面等の縮尺倍率が不明な場合であっても、図面から実寸法を容易に算出（計る）ことができる。【選択図】  図１
2007163273.tif 000002
【特許請求の範囲】
【請求項１】
寸法を計測するための目盛り部を有する長尺状のメジャー本体部と、
前記メジャー本体部に設けられ、縮尺倍率が設定入力される縮尺倍率設定手段と、
実際の寸法が入力される寸法入力手段と、
前記メジャー本体部に設けられ、前記目盛り部にて実測された寸法及び前記寸法入力手段に入力された実際の寸法に基づいて縮尺倍率を算出する縮尺倍率算出手段と、
前記メジャー本体部に設けられ、縮尺倍率の逆数と前記目盛り部にて実測された寸法との積を算出する寸法算出手段と、
前記実寸法を表示する表示手段と
を備えることを特徴とする実寸法算出機能付きメジャー。
【請求項２】
前記目盛り部には、その長手方向に移動可能なカーソルが設けられており、
さらに、前記寸法算出手段及び前記縮尺倍率算出手段は、前記カーソルの位置を検出することにより寸法を実測することを特徴とする請求項１に記載の実寸法算出機能付きメジャー。
【請求項３】
前記縮尺倍率設定手段及び前記寸法入力手段は、少なくとも複数個の数字キーを有して構成されており、
さらに、前記複数個の数字キーは、前記メジャー本体部の長手方向略中央部において、前記目盛り部の長手方向と平行な方向に並んで配置されていることを特徴とする請求項１又は２に記載の実寸法算出機能付きメジャー。
【発明の詳細な説明】
【技術分野】
【０００１】
本発明は、実寸法算出機能付きメジャーに関する。
【背景技術】
【０００２】
実寸法算出機能付きメジャーとして、例えば特許文献１に記載の発明では、図面の縮尺倍率を予め入力しておくことにより、液晶ディスプレイに縮尺倍率が考慮された寸法が表示されるように構成されている。
【特許文献１】特開平２−７７６０１号公報
【発明の開示】
【発明が解決しようとする課題】
【０００３】
しかし、特許文献１に記載の発明では、以下に述べるような問題を有している。
すなわち、図面の縮尺倍率の種類は、ＪＩＳ  Ｚ  ８３０２に規定されているが、例えば実際の物を写真撮影して図面上に記載した場合等は、図面の縮尺倍率が必ずしも、ＪＩＳにて規定された縮尺倍率にならない。
【０００４】
そして、このような図面においては、図面の縮尺倍率が不明な場合が多いため、図面から実寸法を算出（計る）ことが難しい。
本発明は、上記点に鑑み、図面等の縮尺倍率が不明な場合であっても、図面等から実寸法を容易に算出（計る）ことが可能な実寸法算出機能付きメジャーを提供することを目的とする。
【課題を解決するための手段】
【０００５】
本発明は、上記目的を達成するために、請求項１に記載の発明では、寸法を計測するための目盛り部を有する長尺状のメジャー本体部と、メジャー本体部に設けられ、縮尺倍率が設定入力される縮尺倍率設定手段と、実際の寸法が入力される寸法入力手段と、メジャー本体部に設けられ、目盛り部にて実測された寸法及び寸法入力手段に入力された実際の寸法に基づいて縮尺倍率を算出する縮尺倍率算出手段と、メジャー本体部に設けられ、縮尺倍率の逆数と目盛り部にて実測された寸法との積（以下、この積を実寸法という）を算出する寸法算出手段と、実寸法を表示する表示手段とを備えることを特徴としている。
【０００６】
これにより、本発明では、目盛り部にて実測された寸法及び寸法入力手段にて入力された実際の寸法に基づいて縮尺倍率が自動的に算出されるとともに、その自動的に算出された縮尺倍率に基づいて実寸法が算出されて表示されるので、図面等の縮尺倍率が不明な場合であっても、図面等から実寸法を容易に算出（計る）ことができる。
【０００７】
なお、本発明を実施するに当たっては、目盛り部に、その長手方向に移動可能なカーソルを設け、さらに、カーソルの位置を検出することにより寸法を実測することが望ましい。
【０００８】
さらに、本発明では、縮尺倍率設定手段は、複数個の数字キーを有して構成されており、さらに、複数個の数字キーは、メジャー本体部の長手方向略中央部において、目盛り部の長手方向と平行な方向に並んで配置されていることを特徴としている。
【０００９】
これにより、後述する図４に示されるようなメジャー本体部の長手方向端部に数字キー等が集中的に配置された場合に比べて、実寸法算出機能付きメジャーを持ち易くなるとともに、数字キー等を容易に操作することができる。
【発明を実施するための最良の形態】
【００１０】
以下に本発明の実施形態を図面と共に説明する。
（第１実施形態）
図１は本発明の実施形態に係る実寸法算出機能付きメジャー（以下、メジャーと略す。）１の二面図であり、図２はメジャー１の斜視図であり、図３はメジャー１の電気的構成を示すブロック図である。
【００１１】
１．メジャー１の外観構造
メジャー１は、図１に示すように、断面形状が略台形状に形成された長尺状のメジャー本体部３にて構成されたもので、本実施形態では、このメジャー本体部３は、ポリスチレン等の線膨張係数の小さな樹脂等にて構成されている。
【００１２】
そして、メジャー本体部３の長辺部には、寸法を計測するための目盛り部５が設けられており、この目盛り部５は、メジャー１の基底部３ａ（図１（ｂ）参照）に対して所定角度（本実施形態では、略３０°）を有して傾斜した傾斜面に設けられている。
【００１３】
また、目盛り部５には、その長手方向に移動（摺動）可能なカーソル７が設けられており、計測対象（図面に記載された特定箇所の長さ）を計測する際には、目盛り部５の０（零）点を計測対象の起点に合わせた状態でカーソル７を手動にて計測対象の終点位置まで移動させることにより計測対象の長さを計測する。
【００１４】
なお、カーソル７は、目盛り部５側が透明になっており、その中央部にはカーソル７の中心位置を示す中心線７ａが設けられ、一方、中心線７ａと反対側はカーソル７を手動操作する際にカーソル７が手から滑ってしまうことを防止するためのエンボス（凹凸）加工が施されている。
【００１５】
また、メジャー本体部３の長手方向中心軸を挟んで目盛り部５と反対側には、数字、小数点を入力するための複数個の数字キー９ａ、入力値を確定するためのＥｎｔｅｒキー９ｂ、並びに入力モードを切り替えるためのモードスイッチ９ｃが目盛り部５の長手方向と平行に並んで設けられている。
【００１６】
なお、本実施形態では、数字キー９ａ、Ｅｎｔｅｒキー９ｂ及びモードスイッチ９ｃ等をペンにて容易に押下できるように、その先端側がジャー本体部３側に窪んでいる。
ここで、入力モードとは、図面に記載された図形の縮尺倍率を設定入力する手動縮尺設定モード、及び後述する縮尺倍率を自動算出するための自動縮尺設定モードの２種類をいい、モードスイッチ９ｃを押下する度に、手動縮尺設定モードと自動縮尺設定モードとが順次切り替わる。
【００１７】
つまり、手動縮尺設定モード時にモードスイッチ９ｃを押下すると、入力モードが自動縮尺設定モードに切り替わり、逆に、自動縮尺設定モード時にモードスイッチ９ｃを押下すると、入力モードが手動縮尺設定モードに切り替わる。なお、現状の入力モードは、後述する表示パネル１１に表示される。
【００１８】
表示パネル１１はカーソル７の位置に基づいて算出された実寸法を表示する表示手段であり、本実施形態では、液晶パネル（ＬＣＤ）にて表示パネル１１が構成されている。なお、実寸法の算出方法の詳細は、後述する。
【００１９】
因みに、電源スイッチ１３は実寸法算出機能を起動させるためのスタートスイッチであり、表示パネル１１や後述するＣＰＵ２１等は、図示しないバッテリから電力の供給を受けて稼働する。
【００２０】
また、クリップ３ｂは、メジャー１をポケット等に入れた際に、メジャー１がポケット等から落ちてしまうことを防止する係止手段である。
２．メジャー１の電気的構成
メジャー本体部３内には、図３に示すように、ＣＰＵ２１、ＲＯＭ２３及びＲＡＭ２５等からなる演算回路が埋設されており、数字キー９ａ、Ｅｎｔｅｒキー９ｂ及びモードスイッチ９ｃが図示しないインタフェース回路を介してＣＰＵ２１に接続されている。
【００２１】
また、ＣＰＵ２１には、カーソル７の位置を検出するカーソル位置検出器２７が接続されており、このカーソル位置検出器２７は、ポテンショメータやリニアエンコーダ等の位置検出手段にて構成されている。
【００２２】
そして、ＣＰＵ２１は、カーソル位置検出器２７にて検出されたカーソル７の位置、つまり目盛り部５にて実測された寸法と設定入力された縮尺倍率の逆数との積を実寸法として、表示パネル１１に表示する。
【００２３】
なお、ＲＯＭ２３には演算回路（ＣＰＵ２１）を稼働させるためのプログラム等が予め記憶されており、一方、ＲＡＭ２５は、カーソル位置検出器２７にて検出されたカーソル７の位置や設定入力された縮尺倍率等を記憶する。
【００２４】
３．メジャー１の使用方法
本実施形態に係るメジャー１を使用するに当たっては、先ず、縮尺倍率を設定する必要がある。なお、縮尺倍率の設定を行わずに計測を行った場合には、前回設定された縮尺倍率が自動的に適用され、初回使用時には、メーカ出荷設定値（本実施形態では縮尺倍率１）が自動的に適用される。
【００２５】
また、図面の縮尺倍率が不明な場合には、実寸法を表示パネル１１に表示した状態で、入力モードを自動縮尺設定モードとして、数字キー９ａを操作して正しい実際の寸法を入力してＥｎｔｅｒキー９ｂを押下する。
【００２６】
これにより、以降は、入力された正しい実際の寸法Ｂに対する、この正しい実際の寸法を入力する前に表示パネル１１に表示されていた実寸法Ａ、つまり既に設定入力されている縮尺倍率と目盛り部５にて実測された寸法との積Ａの比（＝Ａ／Ｂ）が、実際の縮尺倍率として記憶されるとともに、この記憶された縮尺倍率の逆数と目盛り部５にて実測された寸法との積が実寸法として表示パネル１１に表示される。
【００２７】
つまり、自動縮尺設定モードにより縮尺倍率が設定された後は、この自動設定された縮尺倍率の逆数と目盛り部５にて実測された寸法との積が、実寸法として表示パネル１１に表示される。
【００２８】
３．１．縮尺倍率の設定
ａ）電源スイッチ１３を投入した状態で、モードスイッチ９ｃを押下して入力モードを手動縮尺設定モードとする。
【００２９】
ｂ）次に、数字キー９ａを押下して計測対象となっている図形の縮尺倍率を入力するした後、Ｅｎｔｅｒキー９ｂを押下して縮尺倍率を確定する。
３．２．自動縮尺倍率モードによる縮尺倍率の設定
ａ）目盛り部５の０（零）点を計測対象の起点に合わせた状態でカーソル７を手動にて計測対象の終点位置まで移動させることにより計測対象の長さを計測する。
【００３０】
ｂ）入力モードを自動縮尺設定モードとして、数字キー９ａを操作して正しい実際の寸法を入力した後、Ｅｎｔｅｒキー９ｂを押下する。
３．３．計測対象（図面に記載された特定箇所の長さ）を計測定
目盛り部５の０（零）点を計測対象の起点に合わせた状態でカーソル７を手動にて計測対象の終点位置まで移動させる。これにより、目盛り部５にて実際に計測された長さに、設定された縮尺倍率の逆数が乗された値が実寸法として表示パネル１１に表示される。
【００３１】
４．本実施形態に係るメジャー１の特徴
本実施形態では、目盛り部５にて実測された寸法及び入力された実際の寸法に基づいて縮尺倍率が自動的に算出されるとともに、その自動的に算出された縮尺倍率に基づいて実寸法が算出されて表示されるので、図面等の縮尺倍率が不明な場合であっても、図面等から実寸法を容易に算出（計る）ことができる。
【００３２】
ところで、メジャー１を持つ場合には、図４に示すように、多くの人は、メジャー５の長手方向端部を摘むようにしてメジャー１を持つ。このため、本実施形態では数字キー９ａ等が目盛り部５の長手方向と平行に並んで設けられていると、メジャー１を持ち易くなるとともに、数字キー９ａ等を容易に操作することができる。
【００３３】
５．実施形態と発明特定事項との対応関係
本実施形態では、数字キー９ａ、Ｅｎｔａｅｒキー９ｂ及びモードスイッチ９ｃ等が特許請求の範囲に記載された縮尺倍率設定手段及び寸法入力手段に相当し、カーソル７、カーソル位置検出器２７、ＣＰＵ２１及びＲＯＭ２３に記憶されたプログラム等が特許請求の範囲に記載された縮尺倍率算出手段に相当し、表示パネル１１が特許請求の範囲に記載された表示手段に相当する。
【００３４】
（第２実施形態）
第１実施形態では、数字キー９ａ等を手前側に配置していたが、本実施形態は、図５に示すように、第１実施形態とは逆に目盛り部５を手前側に配置することにより、メジャー１の使い勝手を向上させたものである。
【００３５】
（その他の実施形態）
上述の実施形態では、数字キー９ａ等が目盛り部５の長手方向と平行に並んで設けられていたが、本発明はこれに限定されるものではなく、例えば、図６又は図７に示すようにメジャー本体部３の長手方向端部に数字キー９ａ等を集中的に配置してもよい。
【００３６】
また、上述の実施形態では、クリップ３ｂが設けられていたが、本発明はこれに限定されるものではなく、クリップ３ｂを廃止してもよい。
また、本発明は、特許請求の範囲に記載された発明の趣旨に合致するものであればよく、上述の実施形態に限定されるものではない。
【図面の簡単な説明】
【００３７】
【図１】本発明の第１実施形態に係る実寸法算出機能付きメジャーの二面図である。
【図２】本発明の第１実施形態に係る実寸法算出機能付きメジャーの斜視図である。
【図３】本発明の第１実施形態に係る実寸法算出機能付きメジャーの電気的構成を示すブロック図である。
【図４】本発明の実施形態に係る実寸法算出機能付きメジャーを持った状態を示す図である。
【図５】本発明の第２実施形態に係る実寸法算出機能付きメジャーを示す図である。
【図６】本発明の実施形態に係る実寸法算出機能付きメジャーの他の例を示す斜視図である。
【図７】本発明の実施形態に係る実寸法算出機能付きメジャーの他の例を示す図である。
【符号の説明】
【００３８】
１…実寸法算出機能付きメジャー、３…メジャー本体部、３ａ…基底部、
５…目盛り部、７…カーソル、７ａ…中心線、９ａ…数字キー、
９ｂ…Ｅｎｔｅｒキー、９ｃ…モードスイッチ、１１…表示パネル、
１３…電源スイッチ、２７…カーソル位置検出器。
【図１】
2007163273.tif 000003
【図２】
2007163273.tif 000004
【図３】
2007163273.tif 000005
【図４】
2007163273.tif 000006
【図５】
2007163273.tif 000007
【図６】
2007163273.tif 000008
【図７】
2007163273.tif 000009